(57)【要約】 【課題】  折り畳み状態から引き延ばすだけで強制的に筒状に拡げられる形態に折り畳むことができ、煩雑な作業を行うことなく容易、且つ迅速にごみ箱にセットすることができるごみ箱収納用ごみ袋を提供する。【解決手段】  ２つ折りに折り重ねて矩形状としたプラスチックフィルム１４Ａに側部シール部３と底部シール部４とを設けて有底筒状に形成され、プラスチックフィルム１４Ａにおける２枚重ねとなった両面にそれそぞれ形成された折り返し線２０Ｂ、折り込み用折り返し線２０Ａ、２０Ｃおよび折り込み線２１Ａ〜２１Ｄにより三角形状に区画された保形片１２が、それぞれ一対ずつの各々の一辺が互いに突き合わされて四角形を形作るよう組み合わされ、この四角形を形作る各一対ずつの保形片１２が、各々の一辺の突き合わせ箇所が交互に直交する配置で複数層に積層されることにより、平面視四角形の外形に折り畳まれている。【選択図】  図１
2006103847.tif 000002
【特許請求の範囲】
【請求項１】
２つ折りに折り重ねて矩形状としたプラスチックフィルムに側部シール部と底部シール部とを設けて有底筒状に形成され、
前記プラスチックフィルムにおける２枚重ねとなった両面に、有底筒状の上端開口部に沿った幅方向に配置されて前記矩形状を複数の領域に等分する複数の折り込み用折り返し線と、隣接する各２本の前記折り込み用折り返し線の間の領域を２等分する幅方向の折り返し線と、隣接する各２本の前記折り返し線と前記矩形状の両側辺とで囲まれた四角形の２つの対角線に合致し、且つその２本の交差点が前記折り込み用折り返し線の中点に合致する配置とされた各２本の折り込み線とがそれぞれ設定され、
２枚重ねとなった前記プラスチックフィルムの両面が、前記折り返し線に沿った外方への折り返しにより互いに離間され、且つ前記折り込み用折り返し線に沿った外方への折り返しと前記各折り込み線に沿った内方への折り込みとにより、前記折り込み用折り返し線が表裏両面の各中点を屈曲点とした折り曲げにより２つの直線分に変更されながら中央部に入り込んで互いに突き合わされる形状に折り曲げられ、
前記折り返し線と２つの前記折り込み線の各半部とで三角形状に区画された保形片が、それぞれ一対ずつの各々の一辺が互いに突き合わされて四角形を形作るよう組み合わされ、且つ前記折り込み用折り返し線と２つの前記折り込み線の各半部とで三角形状に区画された保形片が、それぞれ一対ずつの各々の一辺が互いに突き合わされて四角形を形作るよう組み合わされ、
前記四角形を形作る各一対ずつの前記保形片が、各々の一辺の突き合わせ箇所が交互に直交する配置で複数層に積層されることにより、平面視四角形の外形に折り畳まれていることを特徴とするごみ箱収納用ごみ袋。
【請求項２】
底部シール部に沿った折り返し線により区画されて幅方向に細長く延びる下部端片部と、上端開口部に沿った折り返し線により区画されて幅方向に細長く延びる上部端片部とを有している請求項１に記載のごみ箱収納用ごみ袋。
【請求項３】
プラスチックフィルムからなる帯状筒体の長手方向に沿った所定間隔毎に、熱溶着により形成されて幅方向に延びる底部シール部と、この底部シール部に対し近傍箇所で平行に延びる易破断部とがそれぞれ順次形成されているとともに、隣接する各２つの前記易破断部の間に、複数本の折り返し線、折り込み用折り返し線および折り込み線がそれぞれ形成されて、隣接する各２本の易破断線によって区画形成された複数のごみ袋が前記易破断線を介してごみ袋連結帯として連設されている請求項１または２に記載のごみ箱収納用ごみ袋。
【請求項４】
各折り返し線と２つの折り込み線の各半部とで三角形状に区画された保形片および前記各折り込み用折り返し線と２つの折り込み線の各半部とで三角形状に区画された保形片が、一対ずつの各々の一辺が互いに突き合わされて何れも同一形状の正方形または長方形を形作るよう組み合わされている請求項１ないし３の何れかに記載のごみ箱収納用ごみ袋。
【発明の詳細な説明】
【技術分野】
【０００１】
本発明は、主として、一般家庭または事務所などの屋内に配置されるごみ箱内に収納して、投入されたごみをまとめて捨てる用途に用いられる使い捨てタイプの簡易なごみ箱収納用ごみ袋に関するものである。
【背景技術】
【０００２】
一般家庭または事務所に配置されたるごみ箱には、排出されたごみをまとめて捨てるために、ポリエチレンやポリプロピレンのようなプラスチックフィルムにより有底筒状に形成された、いわゆる「ポリ袋」と呼称されている簡易な使い捨てタイプのごみ袋が収納されている。従来、この種のごみ袋は、所要の大きさに折り畳んだ状態で一定枚数を重ねて包装袋に封入した形態、或いはプラスチックフィルムにより帯状に形成された筒状体における長手方向の所定長さ毎の箇所に個々のごみ袋を区画形成するための幅方向の熱溶着シール部および破断線をそれぞれ形成してなるごみ袋連結帯をロール状に巻回した形態などで販売流通過程に出されている。これらのごみ袋を使用するに際しては、包装袋から１枚ずつ取り出して拡げた状態としたのちにごみ箱にセットする作業や、破断線に沿って１枚ずつ切り離して拡げた状態としたのちにごみ箱にセットする作業を必要とするので、常に所定の場所に管理しておく必要があるとともに、煩雑な取り付け作業を必要とするので、使い勝手の悪いものであった。
【０００３】
そこで、従来では、上述した使い勝手の悪さを解消することを目的として、図１４に示すような構成としたごみ袋５１が提案されている（例えば、特許文献１参照）。このごみ袋５１では、プラスチックフィルムにより比較的長い帯状に形成された筒状体における長手方向の所定長さ毎の箇所に個々のごみ袋５１を区画形成するための幅方向の熱溶着シール部５２およびミシン目による易破断線５３をそれぞれ形成することにより、所定枚数のごみ袋５１を易破断線５３を介して連設してなるごみ袋連結帯５０として形成されて、このごみ袋連結帯５０を、ごみ箱５４の横断面形状に対応する所定長さ毎に交互に反対方向に折り返して折り畳み、この折り畳み部５７をごみ箱５４の底部に収容するとともに、最先端のごみ袋５１をごみ箱５４の開口部まで引き上げて、そのごみ袋５１の開口縁部をごみ箱５４の開口部に引っ掛けてセットした状態で使用するようになっている。
【０００４】
そして、使用中のごみ袋５１がごみで満杯になったときには、そのごみ袋５１をごみ箱５４から引き出すと、引き出したごみ袋５１の後端に連設されている後続のごみ袋５１がごみ箱５４の開口部まで引き上げられるので、破断線５３に沿った切断により、ごみで満杯のごみ袋５１を分離したのち、次のごみ袋５１における切断部分である上端開口部をごみ箱５４の開口部に引っ掛けてセットできる。このように、このごみ袋５１では、複数枚のごみ袋５１を連設状態で折り畳んだ折り畳み部５７をごみ箱５４の底部に常備しておけることと、ごみで満杯となったごみ袋５１をごみ箱５４から引き出すのに伴って次のごみ袋５１がごみ箱５４に対し装着位置に自動的に配置されるので、ごみ袋５１の交換作業の手間が格段に軽減できる。
【０００５】
さらに、上記特許文献１には、図１５に示すような構成とする技術も提案されている。すなわち、図１４で示したと同様のごみ袋連結帯５０は、折り畳まずに、渦巻状に巻回したロール体（図示せず）とされて、ごみ袋収納ボックス５８内にその引き出し口５９から順次引き出せるような状態で収納され、一方、ごみ箱５４の底部には、ごみ袋収納ボックス５８を挿抜自在に装着するごみ袋収納部５４ａが設けられ、このごみ袋収納部５４ａには、ごみ袋連結帯５０を引き出すためのガイド孔５４ｂが設けられている。
【特許文献１】実開平５−６５９０５号公報
【発明の開示】
【発明が解決しようとする課題】
【０００６】
しかしながら、図１４のごみ袋連結帯５０として連設されたごみ袋５１は、ごみの投入のために使用中のごみ袋５１に連設された複数枚のごみ袋５１の折り畳み部５７が、ごみ袋５１の幅方向（長手方向に対する直交方向）の折れ線に沿って折り返しながら順次積み重ねられただけであることと、ごみ箱５４の底部に配置された折り畳み部５７が使用中のごみ袋５１に投入されたたごみの重量により加圧されて相互に密着状態になることとにより、使用中のごみ袋５１をごみ箱５４から引き出してその破断線５３に沿い切断して分離したときに、次のごみ袋５１が折り畳み状態に密着して容易に離れず、この密着状態を解除しながら次のごみ袋５１を帯状に延ばしたのちに、ごみ袋５１を形成する２枚重ねの薄いプラスチックフィルムを離して筒状に拡げる作業が容易でない。したがって、上記ごみ袋５１は、既存の包装袋に収容されたものや、ロール状に巻回されたものに比較して、常備性が良い利点を有するが、使い勝手が向上したとは言い難い。
【０００７】
一方、ごみ袋連結帯５０を巻回したロール体として図１５のごみ袋収納ボックス５８に収納した状態で使用されるものでは、使用中のごみ袋５１に投入したごみの重量により密着する不具合の発生を除外できる利点があるが、使用中のごみ袋５１をごみ箱５４から引き出すのに伴い次のごみ袋５１を引き上げる際に、ごみ袋収納ボックス５８内に収納したロール体を回転させながらごみ袋収納ボックス５８の引き出し口５９およびごみ袋収納部５４ａのガイド孔５４ｂをそれぞれ通過させるので、ごみが満杯となった使用中のごみ袋５１のごみ箱５４からの引き出し作業をスムーズに行い難い。
【０００８】
しかも、次のごみ袋５１は、平坦な帯状のままでごみ箱５４の開口部まで引き上げられるだけであるから、２枚重ねとなった薄いプラスチックフィルムを離して筒状に拡げるのが容易でない課題が依然として残存している。また、このごみ袋５１では、使用に際して、ごみ袋収納部５４ａを備えた特殊な形状のごみ箱５４とごみ袋収納ボックス５８とを必要とするので、全体としてのコストが高くつき、さらに、ごみ袋連結帯５０を巻回したロール体をごみ袋収納ボックス５８内に収納したのち、このごみ袋収納ボックス５８をごみ箱５４のごみ袋収納部５４ａ内に挿入し、最先端のごみ袋５１を、ごみ袋収納ボックス５８の引き出し口５９およびごみ袋収納部５４ａのガイド孔５４ｂから導き出してごみ箱５４の開口部に引っ掛けてセットする煩雑な作業を要するので、この点からも使い勝手が向上したとは言い難い。
【０００９】
本発明は前記従来の問題に鑑みてなされたもので、折り畳み状態から引き延ばすだけで強制的に筒状に拡げられる形態に折り畳むことにより、煩雑な作業を行うことなく容易、且つ迅速にごみ箱にセットすることができるごみ箱収納用ごみ袋を提供することを目的としている。
【課題を解決するための手段】
【００１０】
前記目的を達成するために、請求項１に係る発明のごみ箱収納用ごみ袋は、２つ折りに折り重ねて矩形状としたプラスチックフィルムに側部シール部と底部シール部とを設けて有底筒状に形成され、前記プラスチックフィルムにおける２枚重ねとなった両面に、有底筒状の上端開口部に沿った幅方向に配置されて前記矩形状を複数の領域に等分する複数の折り込み用折り返し線と、隣接する各２本の前記折り込み用折り返し線の間の領域を２等分する幅方向の折り返し線と、隣接する各２本の前記折り返し線と前記矩形状の両側辺とで囲まれた四角形の２つの対角線に合致し、且つその２本の交差点が前記折り込み用折り返し線の中点に合致する配置とされた各２本の折り込み線とがそれぞれ設定され、２枚重ねとなった前記プラスチックフィルムの両面が、前記折り返し線に沿った外方への折り返しにより互いに離間され、且つ前記折り込み用折り返し線に沿った外方への折り返しと前記各折り込み線に沿った内方への折り込みとにより、前記折り込み用折り返し線が表裏両面の各中点を屈曲点とした折り曲げにより２つの直線分に変更されながら中央部に入り込んで互いに突き合わされる形状に折り曲げられ、前記折り返し線と２つの前記折り込み線の各半部とで三角形状に区画された保形片が、それぞれ一対ずつの各々の一辺が互いに突き合わされて四角形を形作るよう組み合わされ、且つ前記折り込み用折り返し線と２つの前記折り込み線の各半部とで三角形状に区画された保形片が、それぞれ一対ずつの各々の一辺が互いに突き合わされて四角形を形作るよう組み合わされ、前記四角形を形作る各一対ずつの前記保形片が、各々の一辺の突き合わせ箇所が交互に直交する配置で複数層に積層されることにより、平面視四角形の外形に折り畳まれていることを特徴としている。
【００１１】
請求項２に係る発明は、請求項１の発明のごみ箱収納用ごみ袋において、さらに、底部シール部に沿った折り返し線により区画されて幅方向に細長く延びる下部端片部と、上端開口部に沿った折り返し線により区画されて幅方向に細長く延びる上部端片部とを有している。
【００１２】
請求項３に係る発明は、請求項１の発明のごみ箱収納用ごみ袋において、プラスチックフィルムからなる帯状筒体の長手方向に沿った所定間隔毎に、熱溶着により形成されて幅方向に延びる底部シール部と、この底部シール部に対し近傍箇所で平行に延びる易破断部とがそれぞれ順次形成されているとともに、隣接する各２つの前記易破断部の間に、複数本の折り返し線、折り込み用折り返し線および折り込み線がそれぞれ形成されて、隣接する各２本の易破断線によって区画形成された複数のごみ袋が前記易破断線を介してごみ袋連結帯として連設されている。
【００１３】
請求項４に係る発明は、請求項１ないし３の何れかに係る発明のごみ箱収納用ごみ袋において、各折り返し線と２つの折り込み線の各半部とで三角形状に区画された保形片および前記各折り込み用折り返し線と２つの折り込み線の各半部とで三角形状に区画された保形片が、一対ずつの各々の一辺が互いに突き合わされて何れも同一形状の正方形または長方形を形作るよう組み合わされている。
【発明の効果】
【００１４】
請求項１の発明では、従来のように筒状体を平坦な帯状のままで幅方向の複数の折れ線に沿って交互に反対方向に折り曲げた折り畳み状態としたものとは異なり、筒状体を平坦な状態から一旦拡げてたのちに平面視四角形の外形を有する形状となるように複数層に折り畳まれているので、底部と上端開口部とを離間するように引き延ばすだけで、一対の三角形状の保形片により四角形に形作られて重合状態となっている２組の保形片が、引き延ばし力を受けて各々の中央部が互いに離間されていくのに伴い、これらの側方に位置して四角形を形作っている一対ずつの保形片の組合せが、上記２組の保形片が離間するように変形されるときの反力を受けて両側外方に向けそれぞれ強制的に押し出されていくので、引き延ばしが終わった時点で強制的に筒状に拡げた状態とされる。この状態で上端開口部をごみ箱の開口部に引っ掛ければ、筒状に拡げられた形状でセットされることから、そのままごみを投入することができる。
【００１５】
したがって、このごみ袋は、ごみ箱にセットするに際して筒状に拡げる煩雑な作業を必要とせず、容易、且つ迅速にごみ箱にセットして新たなものに取り替えることができるので、極めて使い勝手が良い。しかも、このごみ袋は、既存のものに比較して、折り畳み形状を変更しただけであるから、コスト高を招くことがない。
【００１６】
請求項２の発明では、使用に際して折り畳み状態から引き延ばされるときに、両端片部によって開口部および底部がそれらの幅方向の形状を保持しながら離間されるので、確実に筒状に拡げる状態とすることができる。
【００１７】
請求項３の発明では、ごみ箱の開口部に引っ掛けて使用中の１枚を除く他の部分を折り畳み状態のままでごみ箱の底部に収納しておき、ごみで満杯となったごみ袋を、ごみ箱から引き出して易破断線に沿った切断により分離したのち、上記引き出しに伴いごみ箱の開口部まで引き上げられた後続のごみ袋の上部開口部を拡げてごみ箱の開口部に引っ掛ければ、このごみ袋が、自動的に筒状に拡げられた形状でセットされるので、そのままごみを投入することができる。したがって、このごみ袋では、複数枚を連設したごみ袋連結帯に形成されていることにより常備性に優れているとともに、煩雑な作業を要することなく、容易、且つ迅速にごみ箱にセットして新たなものに取り替えることができる。
【００１８】
請求項４の発明では、三角形状を有する一対の保形片を歪みや重なり変形が生じない形状で組み合わせて積層することができるから、折り畳み状態から引き延ばしたときに、一層確実に筒状に拡げた状態とできる。
【発明を実施するための最良の形態】
【００１９】
以下、本発明の最良の実施の形態について、図面を参照しながら説明する。図１は本発明の第１の実施の形態に係るごみ箱収納用ごみ袋１Ａを示す斜視図、図２および図３は図１のＰ矢印方向およびＳ矢印方向からそれぞれ見た正面図および側面図である。このごみ袋１Ａは、既存のものと同様に、ポリエチレンやポリプロピレンのようなプラスチックフィルムにより有底筒状に形成されているとともに、図２に２点鎖線を含み図示するように、所定枚数がミシン目のような易破断線２を介して長手方向に連設されたごみ袋連結帯１０として形成され、且つごみ袋連結帯１０の状態で使用される。
【００２０】
すなわち、使用に際しては、最先端の使用中の１枚のごみ袋１Ａを除く後続の各ごみ袋１Ａが接続状態のままで図１ないし図３に示すような形状に折り畳まれてごみ箱の底部に収納されるようになっている。この実施の形態のごみ袋１Ａは、ごみ袋連結帯１０の折り畳み形状に特徴を有しており、この点について、以下に詳述する。なお、図２では、ごみ袋連結体１０におけるごみ袋１Ａの形状を明確に図示するための便宜上、或る１枚のごみ袋１Ａのみを実線で図示してある。
【００２１】
上記ごみ袋１Ａは、図１に示すように、プラスチックフィルムを２つ折りに重ね合わせてその両端部が熱溶着により接合されてなる側部シール部３と、２枚重ねのプラスチックフィルムを幅方向に沿った熱溶着により接合されてなる底部シール部４とにより、有底筒状に形成されている。図２に示すように、底部シール部４と２点鎖線で図示した次のごみ袋１Ａとの間には、ミシン目などによる易破断線２が側部シール部４と平行な配置で形成されている。易破断部２に沿った切断により形成される上端開口部の縁部および底部には、上部折り返し線９および下部折り返し線１１により、それぞれ幅方向に沿った細長い形状の上部および下部端片部７，８が設けられている。上部端片部７は、易破断線２に沿った切断により上方側のごみ袋１Ａが分離されるまでの間、前段のごみ袋１Ａの底部シール部４によって細長い形状に確実に保持されている。
【００２２】
上記ごみ袋１Ａは、上部端片部７および下部端片部８をそれぞれ形作る幅方向の上部折り返し線９と下部折り返し線１１との間の主要部が、図２のＡ−Ａ線断面図である図４および同図のＢ−Ｂ線断面図である図５にそれぞれ示すように、平面視正方形の外形を有する形状に折り畳まれている。換言すると、ごみ袋連結帯１０における各ごみ袋１Ａは、従来のようにプラスチックフィルムを２枚重ねとした平坦な帯状態のまま幅方向の折れ線に沿って交互に反対方向に折り返して折り畳まれたものとは異なり、平坦な帯状から筒状になるように一旦拡げた状態としたのちに、平面視正方形の外形を有する形状に折り畳まれている。
【００２３】
上記平面視正方形の形状は、図４および図５に明示するように、後述する折り曲げにより正三角形状とされた一対の保形片１２が各々の一辺が間隙１３を存して相対向するよう配置されることによって形作られている。この実施の形態では、図２および図３から明らかなように、ごみ袋１Ａが、上記一対の保形片１２の組み合わせにより形作られた正方形の面部分が、正面から見て４層で、且つ側面から見て４層の計８層に積み重ねる状態に折り畳まれている。ここで、一対の保形片１２間に介在する間隙１３は、図４および図５に示すように、上下方向で隣接する各２つが互いに直交する２種の方向となるように設定されている。すなわち、間隙１３は上下方向において交互に順次異なる２方向に位置するように設定されている。
【００２４】
なお、ごみ袋連結帯１０における使用前の各ごみ袋１Ａの折り畳み部分は、一対の保形片１２の組み合わせによる正方形の面部分が密接状態に積み重ねられた状態でごみ箱の底部に収納されるので、図４および図５に図示した間隙１３が存在せずに、一対の保形片１２の各々の一辺が互いに接触した突き合わせ状態となる。図１ないし図３では、便宜上、間隙１３が生じた状態を図示して、一対の保形片１２の組み合わせにより正方形状の面部分が形作られることを明確に示してある。
【００２５】
つぎに、ごみ袋１Ａにおける上部折り返し線９と下部折り返し線１１との間の主要部での折り畳み形状について、図６および図７を参照しながら説明する。図６は、複数枚のごみ袋１Ａが連続的に連設されたごみ袋連結帯１０の折り畳み前の状態を２点鎖線を含み示した平面図であり、図７は、図６のごみ袋連結帯１０の展開図であって、ごみ袋連結帯１０の形成素材である帯状プラスチックフィルム１４Ａを示しており、同図では、理解が容易となる図示とする便宜上、或る１枚のごみ袋１Ａの形成部分のみを実線で図示、他のごみ袋１Ａの形成部分を２点鎖線で図示してある。
【００２６】
上記帯状プラスチックフィルム１４Ａには、一側辺（図の右側辺）に沿った折り曲げ線１７が形成されて、この折り曲げ線１７と一側辺との間に、側部シール部３（図１）を形成するための溶着代１８が設けられている。また、帯状プラスチックフィルム１４Ａには、溶着代１８を除く領域における幅方向の中央位置で長手方向に沿って延びる折曲線１９が設けられている。この帯状プラスチックフィルム１４Ａは、以下の工程を経ることにより、図６のごみ袋連結帯１０とされる。
【００２７】
すなわち、帯状プラスチックフィルム１４Ａは、折曲線１９に沿って二つ折りとされることにより、溶着代１８を除く箇所が２枚重ね状態とされ、この２枚重ねされた部分に、これから側方に突出している溶着代１８を、折り曲げ線１７に沿った折り曲げによって重ね合わせたのちに、その溶着代１８に熱溶着加工を施して側部シール部３を形成することにより、先ず帯状筒状体とされる。さらに、この帯状筒状体には、長手方向における１枚のごみ袋１Ａの長さに相当する所定間隔毎にミシン目による幅方向の易破断線２が形成されることにより、各二つの易破断線２間にごみ袋１Ａが区画形成されるとともに、各易破断線２の上方近傍箇所に、易破断線２に平行に熱溶着加工を施して底部シール部４が形成されると、図６のごみ袋連結帯１０となる。
【００２８】
上記ごみ袋連結帯１０には、これに連設された各ごみ袋１Ａにそれぞれ、易破断線２の下方近傍箇所に上部折り返し線９を形成して細長い形状の上部端片部７が設けられるとともに、易破断線２の上方近傍箇所に底部シール部４に平行な下部折り返し線１１を形成して細長い形状の下部端片部８が設けられる。なお、易破断線２、上部折り返し線９および下部折り返し線１１は、図７の展開図から明らかなように、２枚重ねとしたプラスチックフィルム１４Ａの両面双方に同時に形成されるのは言うまでもない。
【００２９】
この実施の形態では、上述したように、平面視正方形に折り畳む場合を例示していることから、図７に示すように、帯状プラスチックフィルム１４Ａにおける１枚のごみ袋１Ａの形成箇所における上部および下部端片部７，８と溶着代１８とを除く領域が正方形に設定されている。したがって、上記帯状プラスチックフィルム１４Ａを２つ折りに重ねられた図６のごみ袋連結帯１０では、上部および下部端片部７，８を除く領域が、長手方向の長さが幅方向の長さの２倍となる長方形となる。
【００３０】
図６の上記長方形の領域には、これを上下方向において２等分して２つの正方形の領域を区画する折り返し片２０Ｂと、上記２つの正方形の領域をそれぞれ２等分する上側および下側折り込み用折り返し線２０Ａ，２０Ｃとが設定されているとともに、上記２つの正方形の領域にそれぞれ、各々の正方形の２つの対角線にそれぞれ合致する配置で計４本の折り込み線２１Ａ〜２１Ｄが設定されている。したがって、各２本の折り込み線２１Ａ，２１Ｂ、２１Ｃ，２１Ｄの交差点は、上側折り込み用折り返し線２０Ａ上および下側折り込み用折り返し線２０Ｃ上にそれぞれ設けられる。なお、上記折り返し線２０Ｂ、各折り込み用折り返し線２０Ａ，２０Ｃおよび各折り込み線２１Ａ〜２１Ｄは、帯状プラスチックフィルム１４Ａにおける２枚重ねの両面双方に同時に設けられる。したがって、図７に示すように、帯状プラスチックフィルム１４Ａとして見た場合には、折曲線１９の両側に、折り返し線２０Ｂ、各折り込み用折り返し線２０Ａ，２０Ｃおよび各折り込み線２１Ａ〜２１Ｄが線対称の配置で設けられることになる。
【００３１】
なお、上部および下部折り返し線９，１１、折り返し線２０Ｂ、各折り込み用折り返し線２０Ａ，２０Ｃおよび各折り込み線２１Ａ〜２１Ｄは、図７に図示するように帯状プラスチックフィルム１４Ａに予め設けたのちに、ごみ袋連結帯１０を形成するようにしてもよく、あるいは、特に設けないで、後述する折り畳み工程時に、専用の折り畳み自動機によって順次設定しながら折り曲げて、折り畳むようにすることもできる。
【００３２】
つぎに、図６の有底筒状の各ごみ袋１Ａが易破断線２を介して連設されてなる帯状のごみ袋連結帯１０における所要部分の折り畳み形状について説明する。図６には、容易に理解できる図示とする便宜上、説明に必要な領域を実線、破線、１点鎖線および２点鎖線による各平行線で区画して図示してある。同図において、ごみ袋連結帯１０における実線による横平行線で示した三角形状の保形片１２Ａは、プラスチックフィルムが２枚重ねに形成されていることから、図の前後にそれぞれ存在している。この前後一対の保形片１２Ａは、図の前後に存在する上部折り返し線９に沿ってそれぞれ外方に向け折り返す折り曲げと、図の前後にそれぞれ存在する両側の折り込み線２１Ａ，２１Ｂに沿ってそれぞれ内方に向け折り込む折り曲げとにより、図の前方および後方に向け互いに離間しながら突出されて、図５に示すような図の前後２つの上部折り返し線９を介在して平面視正方形を形作る配置に突き合わされる。この平面視正方形が形作られるときには、図の前後に位置する２つの上部折り返し線９により上部端片部７が形成される。
【００３３】
一対の保形片１２Ａが上述のようにして平面視正方形を形作る配置に折り曲げ形成されるときに、図６に破線による縦平行線で示した前後２枚の三角形状の保形片１２Ｂおよび１点鎖線による縦平行線で示した前後２枚の三角形状の保形片１２Ｃは、図の前後に存在する各２つの折り込み線２１Ａ，２１Ｂにおける上側折り込み用折り返し線２０Ａよりも上方の各半部に沿った内方へ向けての折り込みにより、図１に示すように折曲線１９および折り曲げ線１７をそれぞれ解消して各々の前後一対が一体化されて、上記保形片１２Ａと同一の三角形状を形作りながら内方に折り込まれていき、この２つの保形片１２Ｂ，１２Ｃが、図４に示すように、両面の各中点をそれぞれ折曲点として折り曲げられて図の前後方向を向く直線状に形状変更された上側折り返し線２０Ａを介在して平面視正方形を形作る配置に突き合わされる。
【００３４】
また、上述の一対の保形片１２Ａが平面視正方形を形作る配置に折り曲げ形成されるときに、２点鎖線による横平行線で示した前後２枚の三角形状の保形片１２Ｅおよび破線による横平行線で示した前後２枚の三角形状の保形片１２Ｆは、図の前後に存在する各２つの折り込み線２１Ａ，２１Ｂにおける上側折り込み用折り返し線２０Ａよりも下方の各半部に沿った内方へ向けての折り込みにより、図１に示すように折曲線１９および折り曲げ線１７をそれぞれ解消して各々の前後一対が一体化されて、上記保形片１２Ａと同一の三角形状を形作りながら内方に折り込まれていき、この２つの保形片１２Ｅ，１２Ｆが、図４に示すように、両面の各中点をそれぞれ折曲点として折り曲げられて図の前後方向を向く直線状に形状変更された上側折り返し線２０Ａを介在して平面視正方形を形作る配置に突き合わされる。
【００３５】
また、実線による縦平行線で示した前後２枚の三角形状の保形片１２Ｄは、図の前後に存在する折り返し線２０Ｂに沿ってそれぞれ外方に向け折り返されることにより、図の前方および後方に向け互いに離間しながら突出されて、図５に示したように、図の前後２つの折り返し線２０Ｂを介在して平面視正方形を形作る配置に突き合わされる。なお、折り返し２０Ｂと下部折り返し線１１との間の領域は、上述したと全く同様の折り曲げ過程を経ることにより、同様の平面視正方形の形状に折り畳まれるので、重複する説明を省略する。
【００３６】
図８は、上記ごみ袋１Ａの使用状態を示す正面図である。同図に示すように、易破断線２を介して複数枚が連続するごみ袋連結帯１０に形成された各ごみ袋１Ａは、上述した平面視正方形の外形を有する折り畳み状態でごみ箱２２の底部に挿入されて、２点鎖線で図示するように、最前端のごみ袋１Ａを、これの上部端片部７を把持して引き上げたのち、その上部端片部７を構成する２枚重ねのプラスチックフィルムを引き離すことにより上端を開口させて、この上端開口縁部をごみ箱２２の開口部２２ａに引っ掛けて使用する。したがって、使用中の１枚のごみ袋１Ａ以外は、折り畳み状態のままでごみ箱２２の底部に収納される。
【００３７】
使用中のごみ袋１Ａが投入されたごみで満杯になったときには、このごみ袋１Ａがごみ箱２２から引き出される。このとき、引き出されるごみ袋１Ａに対し後続のごみ袋１Ａは、易破断線２を介して連結されていることから、満杯のごみ袋１Ａの引き出しに伴い上方に引き上げられる。したがって、このごみ袋１Ａは、既存の包装袋に収容されたものや、ロール状に巻回されたものに比較して、常備性に優れている。
【００３８】
しかも、上記後続のごみ袋１Ａは、使用中のごみ袋１Ａに投入されたごみの重量を受けて折り畳み状態で密着されているが、従来のように筒状体を平坦な状態のままで幅方向の複数の折れ線に沿って交互に反対方向に折り曲げただけの折り畳み状態になっているものとは異なり、筒状体を一旦拡げてたのちに平面視正方形の外形を有する形状となるように複数層に折り畳まれているので、引き上げに伴い強制的に筒状に拡げた状態とされる。
【００３９】
上述の筒状に拡げるように変形される過程を、図６に付した保形片１２Ａ〜１２Ｆの符号を参照しながら説明する。互いに同一の配置で正方形を形作って重合されている上下一対ずつの保形片１２Ａ，１２Ｄは、引き上げ力を受けて各々の中央部が上下方向に互いに離間されていくのに伴い、これらの側方にそれぞれ位置する２つずつの保形片１２へ，１２Ｃ、１２Ｅ，１２Ｆは、上記保形片１２Ａ，１２Ｄの突き合わせ部分に対し直交する突き合わせ部分を介して平面視正方形に配置されていることから、上下一対ずつの保形片１２Ａ，１２Ｄが上下に離間するように変形されるときの反力を受けて両側外方に向けそれぞれ強制的に押し出されていく。なお、ごみ袋１Ａにおける折り返し線２０Ｂから下方の半部についても上述と同様に変形されていく。
【００４０】
その結果、引き上げられたごみ袋１Ａは、折り畳み状態時にごみの重量を受けて密着状態になっていたにも拘わらず、上部端片部７がごみ箱２２の開口部２２ａ付近まで持ち上げられたときに、図８に２点鎖線で示すように、強制的に筒状に拡げた状態とされる。このとき、ごみ袋１Ａは、上下の両端片部７，８によって上端部および底部がそれらの幅方向の形状を保持しながら離間されるので、確実に筒状に拡げる状態とされる。
【００４１】
そのため、ごみ箱２２から引き上げたごみ袋１Ａを易破断線２に沿って切断することにより分離したのち、後続のごみ袋１Ａの上部端片部７の２枚重ねのプラスチックフイルムを離してごみ箱２２の開口部２２ａに引っ掛ければ、このごみ袋１Ａは、自動的に筒状に拡げられた形状でセットされるので、そのままごみを投入することができる。したがって、このごみ袋１Ａでは、常備性に優れているとともに、煩雑な作業を要することなく、容易、且つ迅速にごみ箱２２にセットして新たなものに取り替えることができる。また、このごみ袋１Ａは、既存のものに比較して、折り畳み形状を変更しただけであり、図１５に示したごみ袋収納部５４ａを有するごみ袋５１やごみ袋収納ボックス５８を必要とするものに比較して、使用形態としての全体のコストが低減するとともに、ごみ箱２２の底部に単に挿入するだけでセットできるから、セットするに際しての煩雑な作業を一切必要とせず、極めて使い勝手が良い。
【００４２】
図９は本発明の第２の実施の形態に係るごみ箱収納用ごみ袋１Ｂを示す斜視図であり、同図において、図１と同一若しくは実質的に同一のものに同一の符号を付して、重複する説明を省略する。第１の実施の形態では平面視正方形を有する外形となるように折り畳む場合を例示したのに対し、この実施の形態では、平面視長方形を有する外形となるように折り畳むようにした点においてのみ第１の実施の形態と相違する。
【００４３】
この実施の形態では、図６に相当する折り畳み前の状態において、上側折り込み用折り返し線２０Ａと折り返し線２０Ｂとの間の領域および折り返し線２０Ｂと下側折り込み用折り返し線２０Ｃとの間の領域が共に同一形状の横長の長方形となるように設定されており、その他の構成は第１の実施の形態と同様である。上記長方形は、折曲線１９および折り曲げ線１７に沿った長さ方向の長さが折り返し線９，１１に沿った幅方向の長さよりも短く設定されている。もし仮に、方向の長さが幅方向の長さよりも長い長方形に設定した場合には、歪みや重なり部分が生じて密着状態に折り畳むことができない。したがって、本発明では、外形が正方形または長方形の何れかの四角形を形作るように折り畳むことが必須要件となる。
【００４４】
この実施の形態のごみ袋１Ｂは、第１の実施の形態のごみ袋１Ａと実質的に同等の構成となっていることから、第１の実施の形態において説明したと同様の効果を得ることができ、それに加えて、最も一般的に使用されている横断面形状が長方形のごみ箱に好適に用いることができる。
【００４５】
図１０は本発明の第３の実施の形態に係るごみ箱収納用ごみ袋１Ｃを示す斜視図であり、同図において、図１と同一若しくは実質的に同一のものに同一の符号を付して、重複する説明を省略する。第１の実施の形態では、正三角形状を有する一対の保形片１２の組み合わせによる正方形の面部分を８層に積層する状態に折り畳む場合を例示したが、この実施の形態のごみ袋１Ｃでは、上記正方形の面部分を６層に積層する状態に折り畳むようになっている。
【００４６】
図１１は、上記ごみ袋１Ｃの展開図を示し、このごみ袋１Ｃを展開した帯状プラスチックフィルム１４Ｂは、易破断部２を介して複数枚が連設される形状に形成される点において第１の実施の形態と同様であるが、第１の実施の形態よりも正方形の面部分が２層減少することに伴い、第１の実施の形態の展開図である図７と比較すると、その図７の下側折り込み用折り返し線２０Ｃと下部折り返し線１１との部分が削除されて、下部折り返し線１１が図７の下側折り込み用折り返し線２０Ｃに相当する形状になっている。
【００４７】
このごみ袋１Ｃは、正方形の面部分が第１の実施形態よりも２層減少するのに伴い、図１０に示すように、下部端片部８が上部端片部７に対し直交する配置になっている。この下部端片部８は、帯状プラスチックフィルム１４Ｂを折曲線１９に沿って折り曲げることにより２つ折りとし、側部シール部３および底部シール部４などを形成したのちに、第１の実施の形態で説明したと同様の折り曲げ工程を経て折り畳まれることにより、上部端片部７に対し自動的に直交する配置とされる。
【００４８】
この実施の形態のごみ袋１Ｃは、第１の実施の形態のごみ袋１Ａと実質的に同等の構成となっていることから、第１の実施の形態において説明したと同様の効果を得ることができ、それに加えて、上部端片部７と下部端片部８とが互いに直交する配置で折り畳まれていることから、使用中のごみ袋１Ｃの引き出しに伴い引き上げられるときに、第１の実施の形態のごみ袋１Ａよりも一層効果的に筒状に拡げる状態とできる利点がある。
【００４９】
図１２は本発明の第４の実施の形態に係るごみ箱収納用ごみ袋１Ｄを示す斜視図であり、同図において、図１と同一若しくは実質的に同一のものに同一の符号を付して、重複する説明を省略する。第１の実施の形態では、正三角形状を有する一対の保形片１２の組み合わせによる正方形の面部分を８層に積層する状態に折り畳む場合を例示したが、この実施の形態のごみ袋１Ｄでは、上記正方形の面部分を半分の４層に積層する状態に折り畳むようになっている。
【００５０】
図１３は、上記ごみ袋１Ｄの展開図を示し、このごみ袋１Ｄを展開した帯状プラスチックフィルム１４Ｃは、易破断部２を介して複数枚が連設される形状に形成される点において第１の実施の形態と同様であるが、第１の実施の形態よりも正方形の面部分が半分の４層に減少することにより、第１の実施の形態の展開図である図７と比較すると、その図７の折り返し線２０Ｂと下部折り返し線１１との部分が削除されて、下部折り返し線１１が図７の折り返し線２０Ｂに相当する形状になっている。
【００５１】
このごみ袋１Ｄは、正方形の面部分が第１の実施形態に比較して半分に減少したのに伴い、図１２に示すように、第１の実施の形態のごみ袋１Ａに比較して上下方向の寸法が半分になるだけで、上部端片部７と下部端片部８とが互いに平行に位置している。したがって、この実施の形態のごみ袋１Ｄは、第１の実施の形態のごみ袋１Ａに比較して、長さ方向の寸法が半分になっているだけで、実質的に同等の構成となっていることから、第１の実施の形態において説明したと同様の効果を得ることができ、それに加えて、高さ寸法の小さなごみ箱に適用できる利点がある。
【００５２】
なお、上記各実施の形態のごみ袋１Ａ〜１Ｄでは、複数枚を易破断部２を介して連設したごみ袋連結帯１０として形成する場合について説明したが、個別のごみ袋１Ａ〜１Ｄとして、これらを所定枚数だけ重ねて包装袋に収納して販売流通過程に出すようにしてもよい。その場合には、ごみ袋連結帯１０として形成するのに比較して常備性の点において劣るが、上下の端片部７，８を把持して引き延ばすだけで筒状に拡げた形状となるので、平坦な帯状筒体のまま幅方向の折れ線に沿って交互に反対方向に折り曲げて折り畳んだものに比較して、ごみ箱にセットするときの手間が格段に容易となる効果を得ることができる。
【産業上の利用可能性】
【００５３】
この発明のごみ箱収納用ごみ袋は、折り畳み状態から引き延ばすときに強制的に筒状に拡げられるように折り畳んでいるので、ゴミ箱にセットするときの手間が格段に軽減され、しかも、折り畳み形状を変更するだけであってコスト高を招くことがなく、特に、溶着シール部および易破断線を介して複数枚を連設したごみ袋連結帯として形成した場合には、常備性に優れたものとなるだけでなく、折り畳み部分をごみ箱の底部に単に挿入して最先端のものをごみ箱の開口部に引っ掛けるだけで迅速にセットできるとともに、使用中のごみ袋をごみ箱から引き出すのに伴って次のごみ袋が強制的に筒形状に拡げられながら引き上げられるから、後続のものを容易にセットして即座に使用できるので、極めて使い勝手の良いごみ箱収納用ごみ袋を提供することができる。
【図面の簡単な説明】
【００５４】
【図１】本発明の第１の実施の形態に係るごみ箱収納用ごみ袋を示す斜視図。
【図２】図１のＰ方向から見た正面図。
【図３】図１のＳ方向から見た側面図。
【図４】図２のＡ−Ａ線断面図。
【図５】図２のＢ−Ｂ線断面図。
【図６】同上のごみ袋が連続的に複数枚連設されてなるごみ袋連結帯の折り畳み前の状態の平面図。
【図７】同上のごみ袋連結帯の展開図。
【図８】同上のごみ袋の使用状態を示す正面図。
【図９】本発明の第２の実施の形態に係るごみ箱収納用ごみ袋を示す斜視図。
【図１０】本発明の第３の実施の形態に係るごみ箱収納用ごみ袋を示す斜視図。
【図１１】同上のごみ袋の展開図。
【図１２】本発明の第４の実施の形態に係るごみ箱収納用ごみ袋を示す斜視図。
【図１３】同上のごみ袋の展開図。
【図１４】従来のごみ箱収納用ごみ袋を示す斜視図。
【図１５】従来の他のごみ袋を収納するごみ箱を示す一部破断した斜視図。
【符号の説明】
【００５５】
１Ａ〜１Ｄ  ごみ袋
２  易破断線
３  側部シール部
４  底部シール部
７  上部端片部
８  下部端片部
１０  ごみ袋連結帯
１２，１２Ａ〜１２Ｆ  保形片
１４Ａ〜１４Ｃ  プラスチックフィルム
２０Ａ，２０Ｃ  折り込み用折り返し線
２０Ｂ  折り返し線
２１Ａ〜２１Ｄ  折り込み線
【図１】
2006103847.tif 000003
【図２】
2006103847.tif 000004
【図３】
2006103847.tif 000005
【図４】
2006103847.tif 000006
【図５】
2006103847.tif 000007
【図６】
2006103847.tif 000008
【図７】
2006103847.tif 000009
【図８】
2006103847.tif 000010
【図９】
2006103847.tif 000011
【図１０】
2006103847.tif 000012
【図１１】
2006103847.tif 000013
【図１２】
2006103847.tif 000014
【図１３】
2006103847.tif 000015
【図１４】
2006103847.tif 000016
【図１５】
2006103847.tif 000017